(57)【要約】【課題】  移動する端末が接続しているネットワークの情報や、端末を使用しているユーザの個人情報を活用し、通信の利便性／信頼性を向上するためのシステムの提供する。【解決手段】  移動端末がローカルなネットワーク間を移動しつつ、通信を継続する通信システムにおいて、移動端末がネットワーク間を移動する手続として、モバイルＩＰシステムを使用するほか、移動端末が、ネットワークから送られてきたデータについて、特定の時間に受信したいとか、圧縮されたデータを受信したいなどの設定をサーバ（モバイルＩＰのＨＡ）に通知し、特定の時間以外は、サーバがデータの代理受信をするとか、データを圧縮して移動端末に転送するなどの処理を行う。【選択図】図８
2006121599.tif 000002
【特許請求の範囲】
【請求項１】
サーバを含むネットワーク間を移動端末が移動しながら、該ネットワークを介して通信を行うモバイルネットワークシステムにおいて、
該移動端末は、
該移動端末のネットワーク間の移動を検出する手段と、
移動先のネットワークと通信可能にするための処理をすると共に、サーバに対し、該移動先ネットワークを介してデータを受け取る際の移動端末固有の情報を設定する設定手段と
を備え、
該移動先のネットワークから該移動端末がデータを受け取る際は、該移動端末固有の情報に従って該サーバからデータを受け取ることを特徴とするモバイルネットワークシステム。
【請求項２】
前記移動端末は、
メディア種別、通信速度、課金方式の少なくとも１つを含むネットワーク情報の管理手段と、
データの受信を希望する時間帯や受信したいデータのコンテンツタイプとを、
少なくとも１つを含む移動端末のユーザの個人情報の管理手段を有し、
これらに基づいて前記移動端末固有の情報を、ネットワークへの接続や他のネットワークへの移動を契機にサーバに設定する請求項１記載のモバイルネットワークシステム。
【請求項３】
前記移動端末の移動はＩＰアドレスまたはＳＳＩＤの変化で検出し、前記移動先のネットワークと通信可能にするための処理は、モバイルＩＰの処理に従うことを特徴とする請求項１に記載のモバイルネットワークシステム。
【請求項４】
前記移動端末固有の情報は、データの圧縮要求、特定の時間のみデータを受信する旨の宣言、あるいは、データの代理受信の要求のいずれかを少なくとも含むことを特徴とする請求項１に記載のモバイルネットワークシステム。
【請求項５】
サーバを含むネットワーク間を移動端末が移動しながら、該ネットワークを介して通信を行うモバイルネットワークシステムにおいて、
該サーバは、ネットワーク情報、移動端末を利用するユーザの個人情報及び受信データの特性への管理手段を有し、
該移動端末から、該移動端末がデータの受信の際のネットワーク情報、移動端末を利用するユーザの個人情報及び受信データの特性への管理手段を有し、
これらに基づいて該サーバに要求する移動端末固有の受信条件を受信する受信手段と、
該受信された条件にしたがって、前記管理手段の情報に基づいて該移動端末へデータの送信を行う送信手段と、
を備えることを特徴とするモバイルネットワークシステム。
【請求項６】
前記サーバは、前記移動端末から送られてきた条件を満たすために処理を行う複数種類のアプリケーションプログラムを備え、
該移動端末固有の情報にしたがって、該複数種類のアプリケーションプログラムの中から適切なアプリケーションプログラムを選択使用することを特徴とする請求項４に記載のモバイルネットワークシステム。
【発明の詳細な説明】
【技術分野】
【０００１】
本発明は、モバイルネットワークシステムに関する。
【背景技術】
【０００２】
近年、ハードウェアベンダは、多様な無線通信インターフェース（ＰＨＳ、無線ＬＡＮなど）を内蔵した端末（ノートＰＣやＰＤＡなど）を次々と出荷している。
また、新たな通信手段としてインスタントメッセージなどのプッシュ型アプリケーションやサービスも注目を集めている。
【０００３】
上記の端末の特徴として、「移動する」ということが挙げられているが、移動中などでネットワークに接続していない状態では、端末は、プッシュ型のアプリケーションやサービスが提供するデータを受信することができない。
【０００４】
また、一旦ネットワークに接続してしまえば、接続したネットワークやデータの特性、または、ユーザの嗜好に関わらず、データを受信しなければならない。
更に、接続するネットワーク毎に通信速度や、課金方式などは異なるが、接続したネットワークの特性に応じたデータを受信することができない。
【０００５】
従来のモバイルネットワークシステムについては非特許文献１、特許文献１、特許文献２、特許文献３がある。非特許文献１には、シームレスローミングに関する背景技術が開示されている。特許文献１には、ＬＡＮ監視装置が代理受信すると共に、公衆回線網を介して移動端末に転送する例が開示されている。特許文献２には、データを加工する技術（モバイルノードが接続されているネットワークタイプに関係なくメッセージを受け取れる技術）が開示されている。特許文献３には、加入者情報や利用者の嗜好情報を含む利用者情報をデータベースで管理する技術が開示されている。
【非特許文献１】http://magazine.fujitsu．com/vol54-4/paper02.pdf
【特許文献１】特開２０００−１７４８２２号公報
【特許文献２】特表２００２−５４０７２９号公報
【特許文献３】特開２００３−２２８５８３号公報
【発明の開示】
【発明が解決しようとする課題】
【０００６】
端末がネットワークに接続していなければ、送信側装置はデータを送信出来ない、あるいは、端末はデータを受信出来ない。
端末がネットワークに接続している場合、送信側装置からデータを受信しなことができない。
【０００７】
送信側装置は、端末がデータを受信できなかった、または、しなかったことを知ることができない。
端末は、送信側装置が送信するデータ特性に合わせて、送信側装置からのデータを受信可能なネットワークへの接続を契機に、データを受信することができない。
【０００８】
受信側端末を使用しているユーザの個人情報に合わせて、送信側装置からのデータを受信することができない。
送信側装置からのデータを、端末が接続しているネットワークの特性に適したデータサイズに圧縮して受信することができない。
【０００９】
本発明の課題は、移動する端末が接続しているネットワークの情報や、端末を使用しているユーザの個人情報を活用し、通信の利便性／信頼性を向上するためのシステムを提供することである。
【課題を解決するための手段】
【００１０】
本発明の第１のモバイルネットワークシステムは、サーバを含むネットワーク間を移動端末が移動しながら、該ネットワークを介して通信を行うモバイルネットワークシステムにおいて、該移動端末は、該移動端末のネットワーク間の移動を検出する手段と、移動先のネットワークと通信可能にするための処理をすると共に、サーバに対し、該移動先ネットワークを介してデータを受け取る際の移動端末固有の情報を設定する設定手段とを備え、該移動先のネットワークから該移動端末がデータを受け取る際は、該移動端末固有の情報に従って該サーバからデータを受け取ることを特徴とする。
【００１１】
本発明の第２のモバイルネットワークシステムは、サーバを含むネットワーク間を移動端末が移動しながら、該ネットワークを介して通信を行うモバイルネットワークシステムにおいて、該サーバは、ネットワーク情報、移動端末を利用するユーザの個人情報及び受信データの特性への管理手段を有し、該移動端末の移動に際し、該移動端末から、該移動端末がデータの受信の際のネットワーク情報、移動端末を利用するユーザの個人情報及び受信データの特性への管理手段を有し、これらに基づいて該サーバに要求する移動端末固有の受信条件を受信する受信手段と、該受信された条件にしたがって、前記管理手段の情報に基づいて該移動端末へデータの送信を行う送信手段と、を備えることを特徴とする。
【発明の効果】
【００１２】
送信側装置は、移動端末が接続していなくても、また、接続しているネットワークに関わらず、データの送信が可能である。
送信側装置は、移動端末におけるデータ受信の確認が可能である。
【００１３】
移動端末は、ネットワークに接続していない時に送信されたデータの受信が可能である。
移動端末は、接続しているネットワークや、個人情報、送信側装置が送信したデータ特性に応じたデータの受信が可能である。
【００１４】
送信側装置が送信したデータを、移動端末が接続したネットワークの特性に適したデータサイズで受信することが可能である。
【発明を実施するための最良の形態】
【００１５】
本発明の実施形態のシステムは、移動端末、サーバ、移動端末と通信する送信側装置、サーバと通信するプログラムで構成されるシステムにおいて、移動端末が、接続しているネットワークの情報と、移動端末を使用しているユーザの個人情報（サービス設定情報）を管理する機能と、モバイルＩＰのＭＮ（モバイルノード）機能を有し、サーバが、移動端末が接続しているネットワークの情報と、端末情報装置が使用しているユーザの個人情報を管理する機能と、受信データの特性を管理する機能と、モバイルＩＰのＨＡ（ホームエージェント）機能を有し、移動端末が、モバイルＩＰによる登録時に、自身が接続しているネットワークの情報と、移動端末を使用しているユーザの個人情報をサーバに通知する。
【００１６】
サーバがモバイルＩＰの仕組みを利用し、移動端末が接続しているネットワークの情報と、移動端末を使用しているユーザの個人情報を、移動端末からオンデマンドで、または、定期的に取得する。
【００１７】
移動端末からの通知や応答が無く、移動端末がネットワークに接続していないとみなせる場合や、移動端末からの通知や応答情報と、送信側装置からのデータ特性から、「接続通信メディアの通信速度が遅い」、「データを受信したくない時間帯」であるとみなせるような場合、サーバがデータを代理受信し、端末情報装置がデータを受信する／できる状況になった時点で、当該移動端末にデータを送信する。
【００１８】
また、サーバがデータを代理受信し、送信側装置や移動端末に代理受信を通知する。また、移動端末がデータを受信する／できる状況になった時点で、データを移動端末に送信し、送信側装置に移動端末へのデータの送信を通知する。
【００１９】
また、移動端末がネットワークに接続していないと見なせ、かつ、送信側装置からリアルタイム性を要求するようなデータが送信された場合、サーバがデータを代理受信し、送信側装置に移動端末がデータを受信できないことを通知する。
【００２０】
更に、プログラムが、サーバが管理している移動端末が接続しているネットワークの情報と、端末情報装置を使用しているユーザの個人情報を要求し、サーバが応答する。
更に、サーバが管理している移動端末が接続しているネットワークの情報と、移動端末を使用しているユーザの個人情報を、移動端末の移動などに伴う管理情報の変化を契機に、プログラムに通知する。
【００２１】
また、サーバが、移動端末が接続しているネットワークの情報を取得したプログラムに対し、送信側装置が送信したデータを送り、プログラムが、移動端末が接続しているネットワークの特性に適したデータ圧縮方式を適用してサーバに戻し、サーバが、移動端末に圧縮したデータを、モバイルIPの仕組みを使って転送する。
【００２２】
図１は、本発明の実施形態が適用されるシステムの構成図を示す図である。
図１において、移動端末（ＭＮ）は、複数の通信インターフェースを装備可能であり、接続ネットワーク１、２の情報と、移動端末を使用しているユーザの個人情報を管理する機能と、モバイルIPのMN(モバイルノード)機能を有する。
【００２３】
サーバ１２は、移動端末１０が接続している接続ネットワークの情報と、移動端末１０を使用しているユーザの個人情報を管理する機能と、受信データの特性を管理する機能と、モバイルIPのHA(ホームエージェント)機能を有する。
【００２４】
また、サーバは、サーバ内のプログラムに対し、管理している移動端末１０が接続している接続ネットワークの情報と、移動端末１０を使用しているユーザの個人情報を応答する、または、移動端末１０の移動などに伴う管理情報の変化を契機に、移動端末が接続している接続ネットワークの情報と、移動端末１０を使用しているユーザの個人情報を通知するＡＰＩ（アプリケーション・プログラム・インターフェース）を提供する。
【００２５】
送信側装置１３は、プッシュ型サービスを提供する機能を有する。
接続ネットワーク1は無線LAN アクセスポイントを含むネットワーク、接続ネットワーク２は携帯電話などを利用したダイアルアップによりリモートアクセスするためのネットワークであり、それぞれの接続ネットワークは、１つのサブネットを形成し、端末情報装置に対し、ＤＨＣＰ（ダイナミック・ホスト・コンフィグレーション・プロトコル）やＰＰＰ（ポイント・ツー・ポイント・プロトコル）などによるIPアドレスの割り当て機能を有する。
【００２６】
移動端末１０は、無線を使って無線ＬＡＮアクセスポイント１１、あるいは、基地局１７にアクセスする。基地局１７を含む接続ネットワーク２は、ＰＰＰのＲＡＳ（リモート・アクセス・サーバ）を介して、広域ネットワーク１８に接続される。また、接続ネットワーク１は、無線ＬＡＮアクセスポイント１１、サーバ１２、送信側装置１３、ＤＨＣＰ１４からなり、ルータ１５を介して、広域ネットワーク１８に接続される。
【００２７】
図２は、移動端末にインストールされるソフトウェアの機能ブロック図である。
移動端末には、ネットワーク情報２０と個人情報２１（移動端末の所有者であるユーザのネットワークの設定情報）が格納される。また、機能としては、移動端末の制御を行う制御部２２と、モバイルＩＰの制御を行うモバイルＩＰ制御部２３とアプリケーション・プログラム・インターフェース２４からなる。
【００２８】
図３は、移動端末が格納するネットワーク情報の構成例である。
同図においては、ネットワーク情報はテーブルとして示されている。ネットワーク情報テーブルには、気付けアドレス（care of address）、ＳＳＩＤ（サービス・セット・ＩＤ）、接続メディア、メディアの通信速度、通信遅延が格納されている。
【００２９】
図４は、移動端末が格納する個人情報の構成例である。
同図においては、個人情報（個人のネットワークサービス設定情報）は、テーブルとして示されている。個人情報テーブルには、接続メディア、データ圧縮の有無、圧縮アルゴリズム、データ受信のための、受信希望の有無、希望時間帯、データ種別が格納されている。
【００３０】
図５は、サーバにインストールされているソフトウェアの機能ブロック図である。
サーバには、移動端末情報３０とデータ保存部３１のデータが格納されている。また、サーバを制御するための制御部３２や、モバイルＩＰ機能を実現するモバイルＩＰ制御部３３、及びアプリケーション・プログラム・インターフェース３４が設けられている。
【００３１】
図６は、サーバの有する移動端末情報の構成例である。
同図においては、移動端末情報は、テーブルとして示されている。移動端末情報テーブルは、ホームアドレス（ＨｏＡ）、気付けアドレス（ＣｏＡ）、接続メディア、メディアの通信速度、通信遅延、データ圧縮の有無、圧縮アルゴリズム、データ受信の際の、受信希望の有無、希望時間帯、データ種別が格納されている。
【００３２】
図７及び図８は、本発明の第１の実施形態の処理の流れを示す図である。
移動端末は、移動端末の起動、異なるネットワークへの移動／通信メディアの切り替え、ユーザによる明示的なネットワークへの接続操作などが発生するたび毎に、接続ネットワークからIPアドレスの割り当てを受ける。IPアドレスを取得した端末情報装置は、モバイルIP機能を使って、自身をサーバに登録する。モバイルIP機能による自身のサーバへの登録を契機に、端末情報装置は、自身が接続しているネットワークの情報と、端末情報装置を使用しているユーザの個人情報をサーバに登録する。
【００３３】
図７のシーケンス図によると、まず、移動端末と接続ネットワークとの間で通信が行われ、移動端末のＩＰアドレス、ＳＳＩＤなどを移動端末が接続ネットワークから取得する（１）。次に、移動端末は、サーバと通信を行い、移動端末からサーバへ、移動端末のＣｏＡ、ネットワーク情報、個人情報を送信する（２）。
【００３４】
図８の移動端末の内部処理を示す図を参照する。まず、ユーザが受信するデータを圧縮して送って欲しいか否かや、データの希望受信時間帯などの個人情報を移動端末に入力する（１）。次に、ネットワーク側と、制御部とが通信して、ＩＰアドレスやＳＳＩＤの変化から移動（アブネットの変更）を検出する（２）。そして、取得したＩＰアドレスやＳＳＩＤから、接続メディアやメディア速度などのネットワーク情報を特定し（３）、接続メディアなどのネットワーク情報から個人情報を特定し（４）、モバイルＩＰ機能を使って、移動端末のＣｏＡ、ネットワーク情報、個人情報をサーバに送信する（５）。
【００３５】
図９及び図１０は、本発明の第２の実施形態の処理の流れを示す図である。
移動端末は、移動端末の起動、異なるネットワークへの移動／通信メディアの切り替え、ユーザによる明示的なネットワークへの接続操作などが発生するたび毎に、接続ネットワークからIPアドレスの割り当てを受ける。IPアドレスを取得した移動端末は、モバイルIP機能を使って、自身をサーバに登録する。サーバは、移動端末が接続しているネットワークの情報と、移動端末を使用しているユーザの個人情報を、モバイルIPの仕組みを使って、移動端末からオンデマンドで、または、定期的に取得する。
【００３６】
図９のシーケンス図によると、まず、移動端末と接続ネットワークが通信し、移動端末のＩＰアドレス、ＳＳＩＤなどを取得する（１）。次に、移動端末とサーバが通信し、移動端末のＣｏＡを登録する（２）。そして、移動端末とサーバが通信して、移動端末のネットワーク情報、個人情報を取得する（３）。
【００３７】
図１０を参照すると、まず、ユーザが移動端末にデータの圧縮の要／不要や、データの希望受信時間帯などの個人情報を入力し（１）、制御部とネットワーク側が通信して、ＩＰアドレスやＳＳＩＤの変化から移動（サブネットの変更）を検出する（２）。次に、制御部がモバイルＩＰ機能を使って、移動端末のＣｏＡを登録する（３）。そして、サーバ（ＨＡ）から、端末のネットワーク情報、個人情報のリクエストを受信し（４）、取得したＩＰアドレスやＳＳＩＤから、接続メディアやメディア速度などのネットワーク情報を特定し（５）、接続メディアなどのネットワーク情報から、個人情報を特定し（６）、ネットワーク情報、個人情報をサーバに送信する（７）。
【００３８】
図１１及び図１２は、本発明の第３の実施形態の処理の流れを示す図である。
送信側装置が移動端末のホームアドレスにデータを送信する。サーバが、モバイルIPの機能を使って、データを代理受信し、移動端末から獲得した移動端末が接続しているネットワークの情報と、移動端末を使用しているユーザの個人情報と、送信側装置が送信したデータの特性から、移動端末へのデータの転送を決定し、移動端末にデータを転送する。
【００３９】
図１１によれば、まず、送信側装置から移動端末に送信されたデータは、サーバによって一旦受信される（１）。そして、サーバが予め移動端末から取得していた個人情報から、ユーザがデータを受け取るべき時間帯になっているか、データの圧縮は必要か否か等を判断し、移動端末へのデータの転送が可能か否かを判断する（２）。データの転送が可能と判断した場合には、サーバから接続ネットワークを介して移動端末にデータの転送を行う（３）。
【００４０】
図１２は、サーバ（ＨＡ）の内部処理を示す図である。
まず、制御部で、送信側装置からのデータを代理受信し（１）、登録されているＭＮ情報を参照し、データの転送を決定する（２）。そして、モバイルＩＰ制御部を使って、移動端末（ＭＮ）にデータを転送する。
【００４１】
図１３及び図１４は、本発明の第４の実施形態の処理の流れを示す図である。
送信側装置が移動端末のホームアドレスにデータを送信する。サーバが、モバイルIPの機能を使って、データを代理受信し、前述の実施形態の手段により獲得した移動端末が接続しているネットワークの情報と、移動端末を使用しているユーザの個人情報と、送信側装置が送信したデータの特性から、代理受信データの保留を決定し、送信側装置に、データの代理受信や、移動端末にデータを送信できないことを通知する。
【００４２】
前述の実施形態の手段により更新された移動端末が接続しているネットワークの情報と、移動端末を使用しているユーザの個人情報から、移動端末へのデータの送信を決定し、モバイルIPの仕組みを使って移動端末にデータを転送すると同時に、送信側装置に、移動端末へのデータの送信を通知する。
【００４３】
図１３によると、まず、送信側装置から移動端末へ向けてデータが送信されるが、これは一旦サーバによって受信される（１）。サーバは、移動端末へのデータの転送が不可能と判断する場合、データを代理受信したことを送信側装置に通知する（３）。このとき、サーバは、必要に応じて、ネットワーク情報／個人情報の更新を行う。サーバが移動端末へのデータの転送が可能になったと判断した場合は（４）、データを移動端末に転送し（５）、データを送信したことを送信側装置に通知する（６）。
【００４４】
図１４は、サーバ（ＨＡ）の内部処理を示す図である。
まず、送信側装置からのデータを代理受信し（１）、登録されているＭＮ情報を参照し、データの転送の保留を決定する（２）。保留されたデータは、データ保存部に保存される（３）。転送の保留を送信側装置に送信する（４）。そして、移動端末（ＭＮ）からの情報により、ＣｏＡ、ネットワーク情報、個人情報が更新される（５）。更新されたＭＮ情報を参照し、データの転送を決定する（６）。データ転送のために保存データを取得し（７）、移動端末（ＭＮ）にデータを送信し（８）、送信側端末装置にデータの送信を通知する（９）。
【００４５】
また、サーバに実装されたアプリケーションプログラムが、サーバが提供するAPI（アプリケーション・プログラム・インターフェース）を介して、移動端末が接続しているネットワークの情報と、移動端末を使用しているユーザの個人情報を要求する構成も可能である。
【００４６】
サーバのアプリケーションプログラムの要求に応じて、移動端末が接続しているネットワークについての情報と、移動端末を使用しているユーザの個人情報をアプリケーションプログラムに応答する。
【００４７】
アプリケーションプログラムに対し、移動端末の移動などに伴う管理情報の変化を契機に、サーバが受け取った、移動端末が接続しているネットワークの情報と、移動端末を使用しているユーザの個人情報を通知する。
【００４８】
図１５〜図１８は、本発明の第５の実施形態の処理の流れを示す図である。
送信側装置が移動端末のホームアドレスにデータを送信する。サーバが、モバイルIPの機能を使って、データを代理受信し、第１あるいは第２の実施形態の手段により獲得した移動端末が接続しているネットワークの情報と、移動端末を使用しているユーザの個人情報と、送信側装置が送信したデータの特性から、データの圧縮が必要だと判断し、データの圧縮を圧縮プログラムにデータを送る。
【００４９】
アプリケーションプログラムが、移動端末が接続しているネットワークの情報と移動端末を使用しているユーザの個人情報を取得し、移動端末が接続しているネットワークの特性に応じたデータ圧縮方式を適用して、サーバに返す。
【００５０】
サーバが、モバイルIPの機能を使って、圧縮したデータを端末情報装置に転送する。
図１５の移動端末がデータを送信する場合によると、まず、移動端末の上位アプリケーションがデータを送信する（１）。次に、データの圧縮が必要と判断し、圧縮プログラムにデータ圧縮を依頼する（２）。次に、移動端末からサーバへ圧縮データの送信を行い（３）、サーバはデータを伸張し（４）、送信側装置へデータを送信する（５）。
【００５１】
図１６の移動端末の内部処理によると、まず、上位アプリケーションが送信したデータを受信し（１）、制御部が、ネットワーク情報、個人情報からデータの圧縮を決定し（２）、使用する圧縮アルゴリズムの選択情報と、圧縮対象データをＡＰＩを介して圧縮プログラムに送信する（３）。ここで、圧縮プログラムは複数種類あるとしている。圧縮データを受け取った圧縮プログラムは、データを圧縮し、圧縮されたデータを制御部に送る（４）。そして、制御部は、モバイルＩＰ機能を使って、圧縮データをサーバに送信する。
【００５２】
図１７の送信側装置がデータを送信する場合によると、まず、送信側装置が移動端末のホームアドレスにデータを送信し、サーバが、モバイルIPの機能を使って、データを代理受信する（１）。次に、データの圧縮が必要と判断された場合、サーバは、圧縮プログラムにデータ圧縮を実行させ（２）、圧縮データを移動端末へ転送する（３）。移動端末では、データを伸張し、上位アプリケーションに転送する（４）。
【００５３】
図１８のサーバの動作によると、送信側装置からデータを代理受信し（１）、代理受信データのＨｏＡとＭＮ情報を照合し、データを圧縮するか否かを決定する（２）。圧縮アルゴリズムの選択情報と、圧縮対象データを、ＡＰＩを介して圧縮プログラムに送信し（３）、圧縮プログラムから圧縮データを受信し（４）、圧縮データを移動端末に送信する（５）。
【００５４】
（付記１）
サーバを含むネットワーク間を移動端末が移動しながら、該ネットワークを介して通信を行うモバイルネットワークシステムにおいて、
該移動端末は、
該移動端末のネットワーク間の移動を検出する手段と、
移動先のネットワークと通信可能にするための処理をすると共に、サーバに対し、該移動先ネットワークを介してデータを受け取る際の移動端末固有の情報を設定する設定手段と
を備え、
該移動先のネットワークから該移動端末がデータを受け取る際は、該移動端末固有の情報に従って該サーバからデータを受け取ることを特徴とするモバイルネットワークシステム。
（付記２）
前記移動端末は、
メディア種別、通信速度、課金方式の少なくとも１つを含むネットワーク情報の管理手段と、
データの受信を希望する時間帯や受信したいデータのコンテンツタイプとを、
少なくとも１つを含む移動端末のユーザの個人情報の管理手段を有し、
これらに基づいて前記移動端末固有の情報を、ネットワークへの接続や他のネットワークへの移動を契機にサーバに設定する付記１記載のモバイルネットワークシステム。
（付記３）
前記移動端末の移動はＩＰアドレスまたはＳＳＩＤの変化で検出し、前記移動先のネットワークと通信可能にするための処理は、モバイルＩＰの処理に従うことを特徴とする付記１に記載のモバイルネットワークシステム。
【００５５】
（付記４）
前記移動端末固有の情報は、データの圧縮要求、特定の時間のみデータを受信する旨の宣言、あるいは、データの代理受信の要求のいずれかを少なくとも含むことを特徴とする付記１に記載のモバイルネットワークシステム。
【００５６】
（付記５）
サーバを含むネットワーク間を移動端末が移動しながら、該ネットワークを介して通信を行うモバイルネットワークシステムにおいて、
該サーバは、ネットワーク情報、移動端末を利用するユーザの個人情報及び受信データの特性への管理手段を有し、
該移動端末の移動に際し、該移動端末から、該移動端末がデータの受信の際にネットワーク情報、移動端末を利用するユーザの個人情報及び受信データの特性への管理手段を有し、
これらに基づいて該サーバに要求する移動端末固有の受信条件を受信する情報受信手段と、
該受信された条件にしたがって、前記管理手段の情報に基づいて該移動端末へデータの送信を行う送信手段と、
を備えることを特徴とするモバイルネットワークシステム。
【００５７】
（付記６）
前記サーバは、前記移動端末から送られてきた条件を満たすために処理を行う複数種類のアプリケーションプログラムを備え、
該移動端末固有の情報にしたがって、該複数種類のアプリケーションプログラムの中から適切なアプリケーションプログラムを選択使用することを特徴とする付記４に記載のモバイルネットワークシステム。
【００５８】
（付記７）
前記アプリケーションプログラムを選択使用するためにアプリケーション・プログラム・インターフェースを使用することを特徴とする付記６に記載のモバイルネットワークシステム。
【００５９】
（付記８）
前記アプリケーションプログラムは、データ圧縮プログラムであることを特徴とする付記６に記載のモバイルネットワークシステム。
【００６０】
（付記９）
前記条件は、データの圧縮要求、特定の時間のみデータを受信する旨の宣言、あるいは、データの代理受信の要求のいずれかを少なくとも含むことを特徴とする付記４に記載のモバイルネットワークシステム。
【００６１】
（付記１０）
前記データの代理受信をサーバが行った場合には、代理受信した旨のメッセージを、該データの送信側装置に送信することを特徴とする付記９に記載のモバイルネットワークシステム。
【００６２】
（付記１１）
前記サーバは、前記移動端末がデータを受け取ることができるようになった場合、代理受信したデータを該移動端末に送信し、かつ、データを該移動端末に送信した旨のメッセージを前記送信側装置に送信することを特徴とする付記１０に記載のモバイルネットワークシステム。
【００６３】
（付記１２）
サーバを含むネットワーク間を移動端末が移動しながら、該ネットワークを介して通信を行うモバイルネットワークシステムにおける通信制御方法において、
該移動端末は、
該移動端末のネットワーク間の移動を検出するステップと、
移動先のネットワークと通信可能にするための処理をすると共に、サーバに対し、該移動先ネットワークを介してデータを受け取る際の移動体端末固有の情報を設定する設定ステップと
を実行し、
該移動先のネットワークから該移動端末がデータを受け取る際は、該移動体端末固有の情報に従って該サーバからデータを受け取ることを特徴とする通信制御方法。
【００６４】
（付記１３）
サーバを含むネットワーク間を移動端末が移動しながら、該ネットワークを介して通信を行うモバイルネットワークシステムにおける通信制御方法において、
該サーバは、
該移動端末の移動に際し、該移動端末から、該移動端末がデータの受信の際に該サーバに要求する条件を受信する条件受信ステップと、
該受信された移動体端末固有の情報にしたがって、該移動端末へデータの送信を行う送信ステップと、
を実行することを特徴とする通信制御方法。
【００６５】
（付記１４）
サーバを含むネットワーク間を移動端末が移動しながら、該ネットワークを介して通信を行うモバイルネットワークシステムにおける通信制御方法において、
該移動端末は、
該移動端末のネットワーク間の移動を検出するステップと、
移動先のネットワークと通信可能にするための処理をすると共に、サーバに対し、該移動先ネットワークを介してデータを受け取る際の移動体端末固有の情報を設定する設定ステップと
を実行し、
該移動先のネットワークから該移動端末がデータを受け取る際は、該移動体端末固有の情報に従って該サーバからデータを受け取ることを特徴とする通信制御方法をコンピュータに実現させるプログラムを記録した記録媒体。
【００６６】
（付記１５）
サーバを含むネットワーク間を移動端末が移動しながら、該ネットワークを介して通信を行うモバイルネットワークシステムにおける通信制御方法において、
該サーバは、
該移動端末の移動に際し、該移動端末から、該移動端末がデータの受信の際に該サーバに要求する移動体端末固有の情報を受信する条件受信ステップと、
該受信された移動体端末固有の情報にしたがって、該移動端末へデータの送信を行う送信ステップと、
を実行することを特徴とする通信制御方法をコンピュータに実現させるプログラムを記録した記録媒体。
【図面の簡単な説明】
【００６７】
【図１】本発明の実施形態が適用されるシステムの構成図を示す図である。
【図２】移動端末にインストールされるソフトウェアの機能ブロック図である。
【図３】移動端末が格納するネットワーク情報の構成例である。
【図４】移動端末が格納する個人情報の構成例である。
【図５】サーバにインストールされているソフトウェアの機能ブロック図である。
【図６】サーバの有する移動端末情報の構成例である。
【図７】本発明の第１の実施形態の処理の流れを示す図（その１）である。
【図８】本発明の第１の実施形態の処理の流れを示す図（その２）である。
【図９】本発明の第２の実施形態の処理の流れを示す図（その１）である。
【図１０】本発明の第２の実施形態の処理の流れを示す図（その２）である。
【図１１】本発明の第３の実施形態の処理の流れを示す図（その１）である。
【図１２】本発明の第３の実施形態の処理の流れを示す図（その２）である。
【図１３】本発明の第４の実施形態の処理の流れを示す図（その１）である。
【図１４】本発明の第４の実施形態の処理の流れを示す図（その２）である。
【図１５】本発明の第５の実施形態の処理の流れを示す図（その１）である。
【図１６】本発明の第５の実施形態の処理の流れを示す図（その２）である。
【図１７】本発明の第５の実施形態の処理の流れを示す図（その３）である。
【図１８】本発明の第５の実施形態の処理の流れを示す図（その４）である。
【符号の説明】
【００６８】
１、２      接続ネットワーク
１０      移動端末
１１      無線ＬＡＮ  ＡＰ
１２      サーバ（ＨＡ）
１３      送信側装置
１４      ＤＨＣＰ
１５      ルータ
１６      ＲＡＳ
１７      基地局
１８      広域ネットワーク
２０、３０      ネットワーク情報
２１      個人情報
２２、３２      制御部
２３、３３      モバイルＩＰ制御部
２４、３４      ＡＰＩ
３１      データ保存部
【図１】
2006121599.tif 000003
【図２】
2006121599.tif 000004
【図５】
2006121599.tif 000005
【図７】
2006121599.tif 000006
【図８】
2006121599.tif 000007
【図９】
2006121599.tif 000008
【図１０】
2006121599.tif 000009
【図１１】
2006121599.tif 000010
【図１２】
2006121599.tif 000011
【図１３】
2006121599.tif 000012
【図１４】
2006121599.tif 000013
【図１５】
2006121599.tif 000014
【図１６】
2006121599.tif 000015
【図１７】
2006121599.tif 000016
【図１８】
2006121599.tif 000017
【図３】
2006121599.tif 000018
【図４】
2006121599.tif 000019
【図６】
2006121599.tif 000020